(57)【要約】【課題】給水用接続体や給湯用接続体の回動を防止して、混合栓本体が傾くことを防止できる湯水混合栓を提供する。【解決手段】左右に離れた給水口２５ａ及び給湯口２５ｂを有する混合栓本体３を備える。壁２に取り付けられて給水管８ａ及び給湯管８ｂの夫々の下流端部を保持するステー４を備える。上端部が給水口２５ａに接続されると共に下端部が給水管８ａの下流端部に左右に回動可能に接続されて給水管８ａと給水口２５ａを連通させる給水用接続体５ａを備える。上端部が給湯口２５ｂに接続されると共に下端部が給湯管８ａの下流端部に左右に回動可能に接続されて給湯管８ａと給湯口２５ｂを連通させる給湯用接続体５ｂを備える。ステー４に給水用接続体５ａ及び給湯用接続体５ｂのうちの少なくとも一方の回動を規制する回動規制部が形成される。【選択図】図１
2012026235.tif 000002
【特許請求の範囲】
【請求項１】
左右に離れた給水口及び給湯口を有する混合栓本体と、壁に取り付けられて給水管及び給湯管の夫々の下流端部を保持するステーと、上端部が前記給水口に接続されると共に下端部が前記給水管の下流端部に左右に回動可能に接続されて前記給水管と給水口を連通させる給水用接続体と、上端部が前記給湯口に接続されると共に下端部が前記給湯管の下流端部に左右に回動可能に接続されて前記給湯管と給湯口を連通させる給湯用接続体を備え、前記ステーに前記給水用接続体及び給湯用接続体のうちの少なくとも一方の回動を規制する回動規制部が形成されたことを特徴とする湯水混合栓。
【発明の詳細な説明】
【技術分野】
【０００１】
本発明は混合栓本体が給水管及び給湯管の夫々に回動可能な接続体を介して接続される湯水混合栓に関する。
【背景技術】
【０００２】
特許文献１には、混合栓本体をソケットと呼ばれる接続体を用いて給水管及び給湯管に接続する湯水混合栓が開示されている。
【０００３】
前記接続体には給水用接続体と給湯用接続体がある。給水用接続体は上端部が混合栓本体の給水口に接続されると共に下端部が給水管の下流端部に接続され、給水管と給水口を連通させる。給湯用接続体は上端部が混合栓本体の給湯口に接続されると共に下端部が給湯管の下流端部に接続され、給湯管と給湯口を連通させる。前記給水用接続体の下端部及び給湯用接続体の下端部は給水管や給湯管に対してねじ込みにより取り付けられ、給水管や給湯管に対して左右に回動可能になっている。このため、給水用接続体や給湯用接続体を回動して向きを微調整して、横長の混合栓本体が水平になるよう向きを調整できるようになっている。
【先行技術文献】
【特許文献】
【０００４】
【特許文献１】特開２００６−２０７１６５号公報（段落［０００２］〜［０００８］）
【発明の概要】
【発明が解決しようとする課題】
【０００５】
ところで、特許文献１は、給水用接続体及び給湯用接続体が給水管や給湯管に対して回動可能に接続される。このため、設置後において給水用接続体や給湯用接続体に側方に向けて外力が加わった場合等に、給水用接続体や給湯用接続体が給水管や給湯管に対して回動し、混合栓本体が傾く恐れがある。
【０００６】
本発明は上記事情に鑑みてなされたものであって、給水用接続体や給湯用接続体の回動を防止して、混合栓本体が傾くことを防止できる湯水混合栓を提供することを課題とする。
【課題を解決するための手段】
【０００７】
上記課題を解決するために本発明の湯水混合栓は、左右に離れた給水口及び給湯口を有する混合栓本体と、壁に取り付けられて給水管及び給湯管の夫々の下流端部を保持するステーと、上端部が前記給水口に接続されると共に下端部が前記給水管の下流端部に左右に回動可能に接続されて前記給水管と給水口を連通させる給水用接続体と、上端部が前記給湯口に接続されると共に下端部が前記給湯管の下流端部に左右に回動可能に接続されて前記給湯管と給湯口を連通させる給湯用接続体を備え、前記ステーに前記給水用接続体及び給湯用接続体のうちの少なくとも一方の回動を規制する回動規制部が形成されたことを特徴とする。
【発明の効果】
【０００８】
本発明にあっては、給水用接続体や給湯用接続体の回動を防止して、混合栓本体が傾くことを防止できる。
【図面の簡単な説明】
【０００９】
【図１】本発明の実施形態のカバーの図示を省略した湯水混合栓の斜視図である。
【図２】設置状態にある湯水混合栓の斜視図である。
【図３】湯水混合栓の要部斜視図である。
【図４】カバーの図示を省略した湯水混合栓の前側から見た斜視図である。
【図５】ステーの斜視図である。
【図６】上カバー体を示す斜視図である。
【図７】他例のステーの要部斜視図である。
【発明を実施するための形態】
【００１０】
以下、本発明を添付図面に基づいて説明する。本実施形態の湯水混合栓１は、図２のように浴室の壁２に沿って設けられるものであって、混合栓本体３、ステー４（図３参照）、接続体５ａ，５ｂ（図３参照）、及びカバー７で構成されている。
【００１１】
混合栓本体３は壁２から浴室側に突出するカウンター（図示せず）の上方の位置に設けられ、カウンターの内部から導出された給水管８ａと給湯管８ｂが混合栓本体３に接続される。
【００１２】
図１のように混合栓本体３の背面には給水口２５ａと給湯口２５ｂが左右に離れて設けられている。給水口２５ａには一方の接続体である給水用接続体５ａを介して給水管８ａが連通接続される。給水管８ａと給水用接続体５ａにより、混合栓本体３内に低温の水を供給する給水用配管部が構成される。給湯口２５ｂには他方の接続体である給湯用接続体５ｂを介して給湯管８ｂが連通接続される。給湯管８ｂと接続体５ｂにより、混合栓本体３内に高温の湯を供給する給湯用配管部が構成される。そして、これら配管部で供給された水と湯が混合栓本体３において所望の割合で混合されて所望温度の湯水が生成される。
【００１３】
図４のように混合栓本体３の下面中央部には下方に開口する吐水口２６が設けられている。また、図１のように混合栓本体３の背面中央部にはシャワー用配管２１の上流端部が接続される接続部４７が形成されている。
【００１４】
混合栓本体３の一側端部には切替ハンドル２８が設けられている。切替ハンドル２８を操作することで、混合栓本体３内で生成された湯水を、吐水口２６から吐出するか、或いはシャワー用配管２１に供給してこの下流側に設けられたシャワーヘッドから吐出するかを切り替えることができる。また、切替ハンドル２８を操作することで、吐水口２６やシャワーヘッドから吐出される湯水の量を調節できるようになっている。
【００１５】
混合栓本体３の切替ハンドル２８と反対側の端部には温度調節ハンドル２７が設けられている。温度調節ハンドル２７を操作することで、混合栓本体３で混合される水と湯の割合を調節でき、これによって吐水口２６やシャワーヘッドから吐出される湯水の温度を調節できる。
【００１６】
接続体５ａ,５ｂは、横に長い混合栓本体３をステー４に対して水平に保持するために設けられている。各接続体５ａ，５ｂの上端部には前方に突出する下流側接続口３０ａ,３０ｂが形成され、各接続体５ａ，５ｂの下端部には後方に突出する上流側接続口３１ａ,３１ｂが形成されている。
【００１７】
給水用接続体５ａの下流側接続口３０ａ及び給湯用接続体５ｂの下流側接続口３０ｂは、給水口２５ａ及び給湯口２５ｂの夫々に左右に回動可能に接続される。ここで、下流側接続口３０ａは、給水口２５ａに左右に回動可能に挿入され、この状態で締付ナット２９を給水口２５ａにねじ込んで締め付けることにより給水口２５ａに対して回動不能に接続される。従って締付ナット２９を緩めることにより、下流側接続口３０ａを給水口２５ａに対して回動できる。なお、下流側接続口３０ｂと給湯口２５ｂの接続構造もこれと同様であるため、説明は省略する。
【００１８】
図４のように各接続体５ａ,５ｂの下端部には止水栓３２が設けられている。各止水栓３２の操作部３３は接続体５ａ,５ｂの下端部の前面から露出している。操作部３３を前方から操作することにより、給水管８ａ及び給湯管８ｂを給水口２５ａ、給湯口２５ｂの夫々に連通させたり、この連通状態を遮断して給水口２５ａや給湯口２５ｂへの水や湯の供給を止めたりできるようになっている。
【００１９】
図５はステー４の斜視図である。ステー４はステンレス製の金属板を折曲加工してなり、左右対称に形成されている。ステー４は、正面視Ｔ字状の背面部１０と、背面部１０の幅狭になった下部の両側縁から前方に突出する腕片部１１ａ，１１ｂと、背面部１０の上縁から前方に突出する上面部１４を備えている。
【００２０】
背面部１０には挿通孔１８が複数形成されている。ステー４を壁２に取付けるには、各挿通孔１８に前方から図示しないビスを通して背面部１０を壁２に固着する。
【００２１】
各腕片部１１ａ，１１ｂの先端部には、外側方（すなわち他方の腕片部と反対側）に向かって突出する支持片部１２ａ，１２ｂが形成されている。各支持片部１２ａ，１２ｂには前後に貫通する支持孔１３ａ，１３ｂが形成されている。一方の支持片部１２ａの支持孔１３ａには給水管８ａの下流端部が挿入され、他方の支持片部１２ｂの支持孔１３ｂには給湯管８ｂの下流端部が挿入される。
【００２２】
支持孔１３ａに挿入された給水管８ａの下流端部には給水用接続体５ａの上流側接続口３１ａが左右に回動可能に接続される。支持孔１３ｂに挿入された給湯管８ｂの下流端部には給湯用接続体５ｂの上流側接続口３１ｂが左右に回動可能に接続される。
【００２３】
ここで、上流側接続口３１ａは、図１のように給水管８ａの下流端部に左右に回動自在にねじ入れられ、この状態で上流側接続口３１ａをねじ入れた締付ナット３５と給水管８ａの下流端部をねじ入れた締付ナット３６が締め付けられる。これにより、両締付ナット３５，３６で支持片部１２ａが挟まれ、上流側接続口３１ａが給水管８ａに対して回動不能に接続される。また、締付ナット３５又は３６を緩めることで、上流側接続口３１ａを給水管８ａの下流端部に対して左右に回動させることができる。なお、上流側接続口３１ｂと給湯管８ｂの下流端部の接続構造もこれと同様であるため、説明は省略する。また、上記給水管８ａや給湯管８ｂの下流端部に給水用接続体５ａの上流側接続口３１ａ又は給湯用接続体５ｂの上流側接続口３１ｂを回動可能に接続する構造は一例であり、従来から知られているその他の構造を採用しても構わない。
【００２４】
このように給水用接続体５ａの上流側接続口３１ａを給水管８ａの下流端部に接続すると共に給湯用接続体５ｂの上流側接続口３１ｂを給湯管８ｂの下流端部に接続することで、混合栓本体３は給水用接続体５ａ及び給湯用接続体５ｂを介してステー４に保持される。
【００２５】
設置状態における給水用接続体５ａ及び給湯用接続体５ｂは、図４のように給水管８ａの下流端部及び給湯管８ｂの下流端部の夫々から上方に突出し、その突出方向は鉛直方向と略平行とされる。
【００２６】
前述のように給水用接続体５ａ及び給湯用接続体５ｂの夫々の上流側接続口３１ａ，３１ｂは、締付ナット３５又は３６を緩めた状態で、給水管８ａの下流端部や給湯管８ｂの下流端部に対して左右に回動させることができる。このため、前記給水用接続体５ａの突出方向及び給湯用接続体５ｂの突出方向を微調整して、横長の混合栓本体３を水平に取り付けられるようになっている。
【００２７】
ステー４の各腕片部１１ａ，１１ｂの先端部には、回動規制部として、前方に突出する突出片１７ａ，１７ｂが形成されている。各突出片１７ａ，１７ｂは腕片部１１ａ，１１ｂの上端部から前方に延び出て支持片部１２ａ，１２ｂよりも前方に突出している。
【００２８】
設置状態では、ステー４の突出片１７ａ，１７ｂの外側に、対応する給水用接続体５ａ及び給湯用接続体５ｂの夫々の上下方向の中間部が近接して配置される。すなわち、本例のように左に給水用接続体５ａ、右に給湯用接続体５ｂが配置される場合は、突出片１７ａの左側方に給水用接続体５ａが当接又は僅かな隙間を介して配置され、突出片１７ｂの右側方に給湯用接続体５ｂが当接又は僅かな隙間を介して配置される。これにより、給水用接続体５ａや給湯用接続体５ｂに左右方向の外力が加わって下端部の上流側接続口３１ａ，３１ｂを中心に左右に回動しようとしたとき、給水用接続体５ａや給湯用接続体５ｂの側面を対応する突出片１７ａ，１７ｂにより支持することができる。従って、給水用接続体５ａや給湯用接続体５ｂに外力が加わって左右に回動することを規制できる。
【００２９】
図５のようにステー４の上面部１４の両側縁には下方に突出する側面部１９ａ，１９ｂが形成され、各側面部１９ａ，１９ｂには左右に貫通するねじ孔２０ａ，２０ｂが形成されている。さらにステー４の上面部１４の左右両側には上下に貫通する差込孔２３ａ，２３ｂが形成されている。また、各側面部１９ａ，１９ｂには接続部４７に接続されたシャワー用配管２１を通すための切欠２２ａ，２２ｂが形成されている。なお、本実施形態の湯水混合栓１はシャワー用配管２１を左側方に引き出す左引出用のものであって、前記切欠２２ａ，２２ｂ及び差込孔２３ａ，２３ｂのうち、左側の切欠２２ａ及び差込孔２３ａのみが用いられる。右側の切欠２２ｂ及び差込孔２３ｂは、カバー７を左右に反転させた形状の図示しない右引出用のカバーを取り付ける場合に用いられる。
【００３０】
図２及び図３のようにカバー７は、前後方向において混合栓本体３と壁２の間に存在する、ステー４、給水用接続体５ａ、給湯用接続体５ｂ、給水管８ａ、及び給湯管８ｂを覆う。
【００３１】
カバー７は側面視Ｌ字状で後側（壁２側）が開口したケース状に形成され、上下に分割された二つの分割カバー体３７，３８で構成される。各分割カバー体３７，３８は合成樹脂製である。以下、これら隣接する分割カバー体３７，３８のうち、上側に配置される分割カバー体３７を上カバー体３７と記載し、下側に配置される分割カバー体３８を下カバー体３８と記載する。
【００３２】
上カバー体３７はステー４に取り付けられる。下カバー体３８は上カバー体３７に取付けられ、ステー４には直接取り付けられない。
【００３３】
図６のように前後及び下方に開口した上カバー体３７の上面部の前縁中央部には、混合栓本体３の接続部４７を保持する保持部として、下方に突出する左右一対の保持片部４９が形成されている。また、上カバー体３７の上面部の後部左側の内面には下方に突出するリブからなる差込部５１が形成されている。さらに上カバー体３７の両側面部の下端部前側には下方に突出する縁片部４２が形成され、縁片部４２は上方の上カバー体３７の側面部の外面よりも内側方に位置している。各縁片部４２の後端部には下方に突出する取付部４３が形成され、各取付部４３には左右に貫通するビス用孔４４が形成されている。
【００３４】
上カバー体３７をステー４に取付けるには、図３のように上カバー体３７をステー４の上側に被せ、各取付部４３をステー４の対応する側面部１９ａ，１９ｂの外側面に当接すると共に上カバー体３７の上面部をステー４の上面部１４に載置する。また、この際、左右の保持片部４９の間に混合栓本体３の接続部４７を挿入して保持し、差込部５１を左側の差込孔２３ａに差し込んで嵌め込む。この後、各ビス用孔４４に外側から通したビス４５をステー４の対応する側面部１９ａ，１９ｂに形成されたねじ孔２０ａ，２０ｂにねじ入れることで、上カバー体３７がステー４に取付けられる。
【００３５】
上カバー体３７の左の側面部において、ステー４の切欠２２ａに対向する箇所には切欠４１が形成されている。混合栓本体３の接続部４７に接続されたシャワー用配管２１は、切欠２２ａ，４１を介してカバー７内側から引き出される。
【００３６】
上カバー体３７は、下カバー体３８を脱着可能に取付けるため、図６のように両側面部の後端部の下端に、下方に突出する片部５２が形成され、各片部５２の下端部には外側方に突出する被引掛部５５が形成されている。また、上カバー体３７の各縁片部４２の前部外面には横に長いリブ状の突部５０が形成されている。
【００３７】
下カバー体３８は前記カウンター上に載置された状態で上カバー体３７に取付けられる。この下カバー体３８の上部でステー４、給水用接続体５ａ、及び給湯用接続体５ｂの夫々の下部が覆われると共に、この上部の後端部から下方に突出した下部で、カウンターから上方に導出して接続体５ａ，５ｂに接続される給水管８ａ及び給湯管８ｂが覆われる。なお、下カバー体３８を上カバー体３７から取り外すことで、給水用接続体５ａ、給湯用接続体５ｂ、給水管８ａ、及び給湯管８ｂを露出させ、これらの保守・点検を行えるようになっている。
【００３８】
図３のように下カバー体３８の両側面部の後端部の上端には、内側方に突出する引掛部５６が形成されている。また、下カバー体３８の上端部前側の内面には凹部５７が形成されている。
【００３９】
下カバー体３８を上カバー体３７に取り付けるには、左右両側の引掛部５６を対応する上カバー体３７の被引掛部５５の上面に引っ掛けると共に、下カバー体３８の左右両側の凹部５７に対応する上カバー体３７の突部５０を嵌め込む。
【００４０】
図６のように上カバー体３７の両側面部の内面には、上下に長いリブ状で内側方に向けて突出する当たり部５４ａ，５４ｂが形成されている。図３のように各当たり部５４ａ，５４ｂは同じ側面部に設けられた突部５０と前後方向において同位置に配置され、突部５０の上方に位置している。
【００４１】
図３のように上カバー体３７をステー４に取付けた状態では、上カバー体３７の左側の当たり部５４ａが給水用接続体５ａの上部外側面に当たり、上カバー体３７の右側の当たり部５４ｂが給湯用接続体５ｂの上部外側面に当たるよう構成されている。このため、突部５０が設けられた上カバー体３７の側面部が内側に変形しようとしたときには、上カバー体３７の側面部が給水用接続体５ａや給湯用接続体５ｂで押さえられ、これにより上カバー体３７の両側に設けられた突部５０は凹部５７から抜け難くなる。また、上カバー体３７の成形時の寸法誤差により、上カバー体３７の両側面部の下部が設計位置よりも内側に倒れて位置する場合には、これら上カバー体３７の両側面部が対応する当たり部５４ａ，５４ｂにより外側方に押圧されて設計位置に配置される。従って、上カバー体３７に寸法誤差がある場合にも突部５０を凹部５７に確実に嵌め込むことができる。
【００４２】
以上説明した本実施形態の湯水混合栓１は、ステー４に形成された突出片１７ａ，１７ｂからなる回動規制部により、下端部が給水管８ａや給湯管８ｂに回動可能に接続された給水用接続体５ａや給湯用接続体５ｂが回動して混合栓本体３が傾くことを防止できる。
【００４３】
また、本実施形態では、給水用接続体５ａと給湯用接続体５ｂの夫々の内側に配置される突出片１７ａ，１７ｂを設けて、両突出片１７ａ，１７ｂにより、給水用接続体５ａと給湯用接続体５ｂが内側方に回動することを防止できる。従って、給水用接続体５ａと給湯用接続体５ｂのいずれに内側方に向かう外力が加わった場合にも給水用接続体５ａと給湯用接続体５ｂが回動することを防止できる。
【００４４】
なお、ステー４には、給水用接続体５ａと給湯用接続体５ｂのうちの一方の回動を規制する回動規制部のみを設けてもよく、さらに回動規制部は上記突出片１７ａ，１７ｂに限られるものではない。
【００４５】
また、本実施形態では、給水用接続体５ａと給湯用接続体５ｂの夫々の内側に配置される突出片１７ａ，１７ｂを設けたが、給水用接続体５ａと給湯用接続体５ｂの夫々の外側に配置される突出片１７ａ，１７ｂを設けてもよい。
【００４６】
図７の例では、回動規制部として、各支持片部１２ａ，１２ｂの外側の側縁に亘って前方に突出する突出片１７ａ，１７ｂが形成されている。ステー４の突出片１７ａ，１７ｂの内側には、対応する給水用接続体５ａ及び給湯用接続体５ｂの夫々の下部が近接して配置される。図７の例でも、ステー４に形成された突出片１７ａ，１７ｂからなる回動規制部により、給水用接続体５ａや給湯用接続体５ｂが回動して混合栓本体３が傾くことを防止できる。
【符号の説明】
【００４７】
１  湯水混合栓
２  壁
３  混合栓本体
４  ステー
８ａ  給水管
８ｂ  給湯管
１７ａ  突出片
１７ｂ  突出片
２５ａ  給水口
２５ｂ  給湯口
【図１】
2012026235.tif 000003
【図２】
2012026235.tif 000004
【図３】
2012026235.tif 000005
【図４】
2012026235.tif 000006
【図５】
2012026235.tif 000007
【図６】
2012026235.tif 000008
【図７】
2012026235.tif 000009